(57)【要約】【課題】被粉砕物がすり鉢内の上方部分に移動しても被粉砕物を容易に擂りつぶすことができ、効率の良い擂りつぶしができるすり鉢及び調理器具を提供する。【解決手段】すり鉢１において、上部に入口３がある略球状のすり鉢１であって、内面下方に被粉砕物５を擂りつぶすおろし目部２と、このおろし目部２の上方に上記すり鉢１の中心軸６側に傾斜している傾斜返し部４とを備えた。【選択図】図２
0003137316.tif 000002
【実用新案登録請求の範囲】
【請求項１】
上部に入口がある略球状のすり鉢であって、内面に被粉砕物を擂りつぶすおろし目部と、このおろし目部上方に形成された上記すり鉢の中心軸側に傾斜している傾斜返し部とを備えたことを特徴とするすり鉢。
【請求項２】
すり鉢と、上部に入口があり下部に上記すり鉢と結合し得る出口を有し、上記すり鉢の中心軸側に傾斜している傾斜返し部とを備えた調理器具。
【考案の詳細な説明】
【技術分野】
【０００１】  この考案はすり鉢自体の構造及びすり鉢と組み合わせた調理器具に関する。
【背景技術】
【０００２】  従来のすり鉢は、いわゆるすり鉢状になっており、円錐を逆にしたような形であって、下方がすぼまり、上方に行くほど径が大きくなっている（特許文献１）。
【特許文献１】特開２０００−１３９７４５号公報
【考案の開示】
【考案が解決しようとする課題】
【０００３】  従来のすり鉢は上記のように構成されていたので、すり鉢の底部にごま等の被粉砕物を入れて擂りつぶすとき、すりこ木の回転に伴い、すり鉢の内側における斜め部分に被粉砕物が移動して、その部分で被粉砕物を潰そうとすると、さらに被粉砕物が上方へ移動してしまい、すりこ木で被粉砕物を効率良く擂りつぶすことが困難になるという問題があった。【０００４】  また、そのような問題が生じないように、斜めの部分を減らすと、擂りつぶすためのおろし目部を形成する部分が減ってしまい、効率的なすり鉢が得られないという問題があった。【０００５】  この考案は、上記のような問題点に着目してなされたもので、被粉砕物がすり鉢内の上方部分に移動しても被粉砕物を容易に効率良く擂りつぶすことができるすり鉢及び調理器具を提供するものである。
【課題を解決するための手段】
【０００６】  この考案に係るすり鉢は、上部に入口がある略球状のすり鉢であって、内面に被粉砕物を擂りつぶすおろし目部と、このおろし目部上方に形成され、すり鉢の中心軸側に傾斜している傾斜返し部とを備えたことを特徴とする。【０００７】  この考案に係る調理器具は、すり鉢と、上部に入口があり、下部に上記すり鉢と結合し得る出口があって、上記すり鉢の中心軸側に傾斜している傾斜返し部とを備えたものである。
【考案の効果】
【０００８】  この考案に係るすり鉢は、すり鉢の底面や側面で擂りつぶされた被粉砕物が徐々に上方へ上って行くとき、上方に設けた傾斜返し部により、被粉砕物を底面に向けて落下させ、再びすりこ木で容易に擂ることができ、効率良く、木目細やかな粉砕物を得ることができる。【０００９】  また、この考案に係る調理器具は、傾斜返し部により、被粉砕物が上方へ上って行っても自重で落下することができ、効率良く被粉砕物を擂りつぶすことができる。
【考案を実施するための最良の形態】
【００１０】  上方に移動した被粉砕物を容易に落下させる目的を、すり鉢の形状や別部材の設置により傾斜返し部という構成で実現した。
【実施例１】
【００１１】  以下、この考案に係るすり鉢の実施例１について図面を参照して説明する。
図１は実施例１のすり鉢の斜視図である。
図１において、１は略球状のすり鉢、２はすり鉢１の内部に設けられた被粉砕物を擂りつぶすためのおろし目部、３は被粉砕物を上部から挿入できる入口である。
この実施例１のすり鉢１では、おろし目部２がすり鉢１の底部からすり鉢１の上方の湾曲した部分まで形成されている。【００１２】  したがって、被粉砕物を挿入できる入口３は従来のすり鉢よりも比較的狭くなっているが、被粉砕物をすりこ木で擂りつぶしていても、すり鉢１から被粉砕物がこぼれ難いと共に、以下に説明するように特有な作用効果がある。【００１３】  図２はすり鉢１内での被粉砕物の作用を示す断面図である。
図中、４はすり鉢１のおろし目部２の上方に形成した傾斜返し部、５は被粉砕物、６はすり鉢１の中心軸である。傾斜返し部４は、すり鉢１の中心軸６側に傾斜した形状になっており、おろし目部の上方に形成されている。【００１４】  図２を用いて、すり鉢１内部での被粉砕物５を擂る作用について説明する。
まず、すり鉢１を使用する場合、すりこ木（図示せず）を回転させてすり鉢１内の被粉砕物５を擂りつぶす。このとき、被粉砕物５がすり鉢１内で移動するが、そのうち一部の被粉砕物５は上方へも移動する。【００１５】  被粉砕物５は、すりこ木の回転に伴い、十分に擂られていない状態であっても上方に上がって行き傾斜返し部４までたどり着く。しかし、傾斜返し部４は傾斜がすり鉢１の中心軸６側に傾斜しているため、被粉砕物５の接着力と重力とのバランスが崩れ、位置エネルギーを維持することができず、ついに被粉砕物５が傾斜返し部４に滞留することができなくなり、落下することになる。【００１６】  落下すれば、再びすり鉢１の底部ですりこ木により被粉砕物５が擂りこまれ、このような動作を繰り返すことにより効率的に擂りつぶされ、被粉砕物５が速やかに粉砕される。
なお、すり鉢は球状でなく、たまごのように楕円形状であってもよい。
また、傾斜返し部４の表面はテフロン加工処理など接着性が少ないように表面処理をすることが好ましい。さらに、傾斜返し部自体におろし目部を設けても良い。
【実施例２】
【００１７】  図３は傾斜返し部の他の実施例を示す側面図である。
図３において、１０は上面に入口を有し、側面が略放物線状の円弧を描いている傾斜返し部、１１は傾斜返し部１０とは別体の円錐型のすり鉢である。この構成においても、被粉砕物が上方に上がって行った場合でも傾斜返し部１０によりその上昇が阻止され、速やかに落下し、再び擂りつぶされることになり、効率が上がる。【００１８】  なお、この実施例２においては、すり鉢１１と傾斜返し部１０との結合手段としては、嵌合させるため溝を設けることや鋸歯形状で嵌め合わせるなどの構造にしても良い。
また、実施例２の形態では、従来のようにすり鉢１１のみで使用することもできる利点がある。
さらに、すり鉢１１と傾斜返し部１０とが別体であるため、すり鉢１１におろし目部を設け易いので製造しやすく、清掃もしやすい。
さらにまた、この傾斜返し部を小刻みに振動させる振動装置を外側に取り付けることも落下促進のため，好ましい形態である。
【実施例３】
【００１９】  図４は、他の実施例を示す傾斜返し部とすり鉢の断面図である。図４において、２０は中空環状の傾斜返し部材、２１は従来例と同様なすり鉢、２２はおろし目部である。
傾斜返し部材２０はおろし目部２２の上辺近傍にかぶせるように配置する。
この実施例３においても、上方に上がってきた被粉砕物を傾斜返し部材２０により更に上がるのを阻止すると共に、被粉砕物を落下させ再び底部で擂りつぶすことができる。【００２０】  なお、実施例１、実施例２及び実施例３のように落下させるには傾斜返し部の表面は、被粉砕物が接着し難いように表面処理を施すと良い。表面処理はテフロン加工処理等の接着が小さい物質が好ましい。また、傾斜返し部は実施例１に図示した入口部分の傾斜角度をさらに大きく中心軸に回り込むような形状にしても良い。
【図面の簡単な説明】
【００２１】
【図１】実施例１のすり鉢の斜視図である。
【図２】実施例１の断面図である。
【図３】実施例２の側面図である。
【図４】実施例３の断面図である。
【符号の説明】
【００２２】１  すり鉢
２  おろし目部
３  入口
４  傾斜返し部
５  被粉砕物
１０  傾斜返し部
１１  すり鉢
２０  傾斜返し部
２１  すり鉢
２２  おろし目部
【図１】
0003137316.tif 000003
【図２】
0003137316.tif 000004
【図３】
0003137316.tif 000005
【図４】
0003137316.tif 000006